(57)【要約】【課題】定期録画を用いた場合であっても、ユーザに使用可能容量不足を通知することできる記録装置を提供する。【解決手段】再生済みかつ記録日時から所定期間を超過している再生済みデータを抽出する再生済みデータ抽出部、ハードディスクに記録されている録画データの中からダビング済みデータを抽出するダビング済みデータ抽出部、及び所定期間内において予約録画処理によって使用されると容量を算出する容量判定部を備えている。容量判定部は、算出された推定データ量とハードディスクの使用可能容量とを比較し、所定期間内における予約録画処理を行うのに十分な使用可能容量があるかどうかを判定する。その結果、推定データ量が使用可能容量を越えると判定された場合に、再生済みタイトルリスト、ダビング済みタイトルリスト、及び録画予約タイトルリストをモニター等に出力して削除指示を受け付け、指示に従って録画データ或いは録画予約を削除する。【選択図】図１
2008182567.tif 000002
【特許請求の範囲】
【請求項１】
動画及び／若しくは音声を録画データとして記録するハードディスクと、
前記ハードディスクに記録されている情報であって前記録画データを除く情報を表示装置に出力する情報出力部と、
前記録画データを記録する日時及び記録対象データを示す録画予約指示を受け付け、前記録画予約指示の内容を録画予約情報として前記ハードディスクに記録する予約受付部と、
を備えたハードディスク搭載ＤＶＤレコーダであって、
前記ハードディスクに記録されている録画データの中から、再生済みかつ記録日時から所定期間を超過して記録されている再生済みデータを抽出する再生済みデータ抽出部と、
前記ハードディスクに記録されている録画データの中から、ＤＶＤメディアにダビング済みであるダビング済みデータを抽出するダビング済みデータ抽出部と、
前記ハードディスクより前記録画予約情報を読み出し、所定期間内に前記録画予約情報に基づいて実施される録画処理に必要な推定データ容量を算出し、算出された前記推定データ容量を越える前記ハードディスクの使用可能容量が存在するかを判定する容量判定部と、
前記記録装置の電源が投入された際に、前記容量判定部による判定を実施し、前記推定データ容量を越える前記使用可能容量が存在しないと判定された場合に、前記再生済みデータ、前記ダビング済みデータ、或いは前記録画予約情報の削除を行うかの指示を受け付ける削除受付部と、
前記削除受付部が削除指示を受け付けた場合に、前記再生済みデータ、前記複製済みデータ、及び前記録画予約情報の一覧を前記情報出力部を用いて出力して削除対象の指定を受け付け、受け付けた前記指定に基づいて前記削除対象を前記ハードディスクから削除する削除部とを備え、
前記削除部が、前記録画予約情報を出力する際に、前記推定データ容量が前記使用可能容量を越えるために実施不可能である前記録画予約情報にマークを付加して出力し、
前記削除受付部が削除指示を受け付けなかった場合に、前記削除部が、前記推定データ容量が前記使用可能容量を越えるために実施不可能である前記録画予約情報の一覧を出力し、
前記容量判定部により前記推定データ容量が前記使用可能容量を越えると判定された場合に、予約録画不可を示すアイコンを前記情報出力部を用いて出力すること
を特徴とするハードディスク搭載ＤＶＤレコーダ。
【請求項２】
動画及び／若しくは音声を録画データとして記録する記録手段と、
前記記録手段に記録されている情報であって前記録画データを除く情報を表示装置に出力する情報出力手段と、
を備えた記録装置であって、
前記記録手段に記録されている録画データの中から、再生済みかつ記録日時から所定期間を超過して記録されている再生済みデータを抽出する再生済みデータ抽出手段と、
前記記録装置の電源投入を検知した際に、前記再生済みデータ抽出手段を実施し、抽出された前記再生済みデータが存在する場合に、前記再生済みデータの削除を行うかどうかの指示を受け付ける削除受付手段と、
前記削除受付手段が削除指示を受け付けた場合に、前記再生済みデータの表題を前記情報出力手段を用いて出力し、削除する前記再生済みデータの指定を受け付け、指定された前記再生済みデータを前記記録手段から削除する削除手段と、
を備えたことを特徴とする記録装置。
【請求項３】
動画及び／若しくは音声を録画データとして記録する記録手段と、
前記記録手段に記録されている情報であって前記録画データを除く情報を表示装置に出力する情報出力手段と、
を備えた記録装置であって、
前記記録手段に記録されている録画データの中から、外部記録媒体に複製済みである複製済みデータを抽出する複製済みデータ抽出手段と、
前記記録装置の電源投入を検知した際に、前記複製済みデータ抽出手段を実施し、抽出された前記複製済みデータが存在する場合に、前記複製済みデータの削除を行うかどうかの指示を受け付ける削除受付手段と、
前記削除受付手段が削除指示を受け付けた場合に、前記複製済みデータの表題を前記情報出力手段を用いて出力し、削除する前記複製済みデータの指定を受け付け、指定された前記複製済みデータを前記記録手段から削除する削除手段と、
を備えたことを特徴とする記録装置。
【請求項４】
動画及び／若しくは音声を録画データとして記録する記録手段と、
前記記録手段に記録されている情報であって前記録画データを除く情報を表示装置に出力する情報出力手段と、
前記録画データを記録する日時及び記録対象を示す録画予約指示を受け付け、前記録画予約指示の内容を録画予約情報として前記ハードディスクに記録する予約受付手段と、
を備えた記録装置であって、
前記記録手段より前記録画予約情報を読み出し、所定期間内に前記録画予約情報に基づいて実施される録画処理に必要な推定データ容量を算出し、算出された前記推定データ容量を越える使用可能容量が前記記録手段に存在するかを判定する容量判定手段と、
前記記録装置の電源が投入された際に、前記容量判定手段を実施し、前記推定データ容量を越える使用可能容量が存在しないと判定された場合に、前記録画予約情報の削除を行うかどうかの指示を受け付ける削除受付手段と、
前記削除受付手段が削除指示を受け付けた場合に、前記録画予約情報を前記情報出力手段を用いて出力し、削除する前記録画予約情報の指定を受け付け、指定された前記録画予約情報を前記記録手段から削除する削除手段と、
を備えたことを特徴とする記録装置。
【請求項５】
前記削除手段が、前記録画予約情報を前記情報出力手段を用いて出力する際に、前記推定データ容量が前記使用可能容量を越えるために実施不可能と推定される前記録画予約情報にマークを付加して出力すること
を特徴とする請求項４に記載の記録装置。
【請求項６】
前記削除受付手段が削除指示を受け付けなかった場合に、前記削除手段が、前記推定データ容量が前記使用可能容量を越えるために実施不可能と推定される前記録画予約情報を出力すること
を特徴とする請求項４または請求項５に記載の記録装置。
【請求項７】
前記記録手段に記録されている録画データの中から、再生済みかつ記録日時から所定期間を超過して記録されている再生済みデータを抽出する再生済みデータ抽出手段と、
前記記録手段に記録されている録画データの中から、外部記録媒体に複製済みである複製済みデータを抽出する複製済みデータ抽出手段と、
を備え、
前記削除受付手段が削除指示を受け付けた場合に、前記削除手段が、前記再生済みデータ、前記複製済みデータ、及び前記録画予約情報の一覧を前記情報出力手段を用いて出力して削除対象の指定を受け付け、受け付けた前記指定に基づいて前記再生済みデータ、前記複製済みデータ、或いは前記録画予約情報を前記記録手段から削除すること
を特徴とする請求項４〜請求項６のいずれかに記載の記録装置。
【請求項８】
前記容量判定手段により前記推定データ容量が前記使用可能容量を越えると判定された場合に、予約録画不可を示す画像を前記情報出力手段を用いて出力すること、
を特徴とする請求項４〜請求項７のいずれかに記載の記録装置。
【発明の詳細な説明】
【技術分野】
【０００１】
本発明は、動画や音声の記録が可能な記録装置に関するものであり、特に記録装置が備える記録媒体の容量不足に起因する記録の失敗を防止する記録装置に関する。
【背景技術】
【０００２】
近年、テレビ等の画像処理装置において処理される動画や音声の記録を行うための装置として、ＤＶＤ（Digital Versatile Disk）レコーダまたはＨＤＤ（Hard Disk Drive）レコーダ等のデジタル方式による記録装置が広く普及している。これらのデジタル記録装置は、従来のアナログ記録装置、例えばビデオテープレコーダ等と比較して、一つの記録媒体に大量の情報を記録して管理することが可能である。
【０００３】
このためデジタル方式の記録装置においては、例えば録画したい番組のジャンルを指定することにより、指定されたジャンルに該当する番組を自動的に録画するジャンル録画機能が存在する。この機能を用いれば、ユーザは特定のジャンルの番組を、個別に録画予約設定することなく録画することができる。このため、録画予約作業の手間を省きながら大量の録画処理を実施することが可能である。
【０００４】
しかしながらデジタル方式の記録装置は記録できる録画データが多い反面、録画データの管理にかかるユーザの作業負担が大きくなりやすいという問題があった。例えば記録媒体の残り容量が少なくなった場合、ユーザは大量の録画データの中から不要な録画データのみを抽出して、手動で削除作業を行なわねばならない。
【０００５】
仮にユーザが上記の削除作業を行なわなかった場合、録画データの量は常に増加していく。このため、ユーザが優先的に視聴したい番組の予約録画処理が開始されるまでに記憶媒体の容量が満杯になってしまい、録画処理が失敗してしまう可能性があった。上記の問題に関連して特許文献１においては、残り記録可能時間の表示を可能にするとともに、タイマ予約（＝録画予約）が可能になるように残り記録可能時間を調整することができるデジタル記録再生装置および残り記録可能時間調整方法が開示されている。
【０００６】
特許文献１の蓄積装置は、ユーザがタイマ予約をしたとき、タイマ予約によって録画される総時間がＨＤＤ１１９の使用可能容量、すなわち残り記録可能時間よりも長くなった場合には、予約を受付ける前にその旨をユーザに知らせる。そして、録画モードを変更する、或いは不要なタイトルを削除するなどの処理を行ない、その日にタイマ予約によって録画される総時間がＨＤＤ１１９の使用可能容量、すなわち残り記録可能時間よりも短くなった時点で、タイマ予約を受付ける。
【０００７】
また特許文献２においては、蓄積容量が満杯に近づくと視聴済みの録画データから優先的に削除する候補を選択し、選択された削除候補の録画データを、モニタ画面を通じて視聴中のユーザに知らせ、削除候補として示された録画データの削除をユーザが望まない場合は、前記削除候補以外の録画データの中から削除候補を再度選択するデータ放送受信装置が開示されている。
【０００８】
特許文献２のデータ放送受信装置は、空き領域が一定値以下になると、メモリ手段１１に記憶された視聴の有無情報を調べ、もし視聴済みの番組データがあれば優先的に対応するデータの削除候補フラグをオンにする。もし視聴済みの番組データがなく、視聴中の番組データがあれば、対応するデータの削除候補フラグをオンにする。視聴済み番組データも視聴中番組データもないときは未視聴番組データから保存優先度の最も低い番組データの削除候補フラグをオンにする。
【０００９】
制御部９はモニタ画面上に蓄積している番組データのリストを表示しており、削除フラグがオンになるとモニタ画面上で対応する番組データの領域を点滅させることで、ユーザに前記番組データが削除候補であることを知らせる。
【特許文献１】特開２００１−１６７５２２号公報
【特許文献２】特開平１１−１２７３９６号公報
【発明の開示】
【発明が解決しようとする課題】
【００１０】
しかしながら、上記特許文献１及び特許文献２に開示されている装置においては、ユーザーが録画予約を行った際、或いは記憶媒体の使用可能容量が所定値を下回った場合に通知処理を行うことは可能であるが、定期録画（例えば毎週月曜の所定日時に録画処理を繰り返し行う録画予約）については、繰り返し録画する回数が指定されていないため、予約設定時に使用容量の見積もりができず、従って使用可能容量が十分かどうかの判断ができないという問題があった。
【００１１】
このため、定期録画処理の開始時に使用可能容量不足が発生していたとしても、ユーザは使用可能容量不足を確実に知ることができず、録画処理が失敗するか、或いは自動削除処理に頼るしかないという問題があった。ただし自動削除処理は必ずしもユーザが不要と考える録画データが削除対象とはならず、このためユーザーが認識していない間に視聴したかった録画データが削除されてしまう危険性も備えている。
【００１２】
また、通常の録画予約において、予約時に使用可能容量が十分であったとしても、予約後に使用可能容量が減少し、予約録画開始時に使用可能容量不足が発生するという可能性もある。この場合、特許文献２の発明を用いれば使用可能容量不足の通知を行うことは可能であるが、通常、予約録画実施時にユーザが機器の近くにいることは稀であり、従って通知処理が意味をなさいない可能性が高いといった問題があった。
【００１３】
本発明は、上記の問題を鑑みてなされたものであり、定期録画を使用している場合においても確実にユーザに使用可能容量不足を通知でき、また録画予約設定後に使用可能容量不足が発生した場合においてもユーザに使用可能容量不足を通知することできる記録装置を提供することを目的とする。
【課題を解決するための手段】
【００１４】
上記目的を達成するために本発明のハードディスク搭載ＤＶＤレコーダは、動画及び／若しくは音声を録画データとして記録するハードディスクと、前記ハードディスクに記録されている情報であって前記録画データを除く情報を表示装置に出力する情報出力部と、前記録画データを記録する日時及び記録対象データを示す録画予約指示を受け付け、前記録画予約指示の内容を録画予約情報として前記ハードディスクに記録する予約受付部とを備えたハードディスク搭載ＤＶＤレコーダであって、前記ハードディスクに記録されている録画データの中から、再生済みかつ記録日時から所定期間を超過して記録されている再生済みデータを抽出する再生済みデータ抽出部と、前記ハードディスクに記録されている録画データの中から、ＤＶＤメディアにダビング済みであるダビング済みデータを抽出するダビング済みデータ抽出部と、前記ハードディスクより前記録画予約情報を読み出し、所定期間内に前記録画予約情報に基づいて実施される録画処理に必要な推定データ容量を算出し、算出された前記推定データ容量を越える前記ハードディスクの使用可能容量が存在するかを判定する容量判定部と、前記記録装置の電源が投入された際に、前記容量判定部による判定を実施し、前記推定データ容量を越える前記使用可能容量が存在しないと判定された場合に、前記再生済みデータ、前記ダビング済みデータ、或いは前記録画予約情報の削除を行うかの指示を受け付ける削除受付部と、前記削除受付部が削除指示を受け付けた場合に、前記再生済みデータ、前記複製済みデータ、及び前記録画予約情報の一覧を前記情報出力部を用いて出力して削除対象の指定を受け付け、受け付けた前記指定に基づいて前記削除対象を前記ハードディスクから削除する削除部とを備え、前記削除部が、前記録画予約情報を出力する際に、前記推定データ容量が前記使用可能容量を越えるために実施不可能である前記録画予約情報にマークを付加して出力し、前記削除受付部が削除指示を受け付けなかった場合に、前記削除部が、前記推定データ容量が前記使用可能容量を越えるために実施不可能である前記録画予約情報の一覧を出力し、前記容量判定部により前記推定データ容量が前記使用可能容量を越えると判定された場合に、予約録画不可を示すアイコンを前記情報出力部を用いて出力することを特徴としている。
【００１５】
これによると、本発明のハードディスク搭載ＤＶＤレコーダは、ハードディスクに記録されている録画データの中から、再生済みかつ記録日時から所定期間を超過している再生済みデータを抽出する再生済みデータ抽出部を備えている。また、ハードディスクに記録されている録画データの中から、ＤＶＤメディア等にダビング済みであるダビング済みデータを抽出するダビング済みデータ抽出部を備えている。また、所定期間内、例えば現在から一ヶ月以内において予約録画処理（＝録画予約情報に基づいて実施される録画処理）によって使用されると推定されるハードディスクの容量（＝推定データ容量）を算出する容量判定部を備えている。また容量判定部は、算出された推定データ量とハードディスクの使用可能容量とを比較し、推定データ量が使用可能容量より小さいかどうか、つまり所定期間内における予約録画処理を行うのに十分な使用可能容量があるかどうかを判定する。そしてハードディスク搭載ＤＶＤレコーダの電源が投入された際に、削除受付部が、容量判定部に対して使用可能容量の判定処理を指示する。その結果、推定データ量が使用可能容量を越えると判定された場合に、録画予約情報の一部或いは全部を削除するかどうかの選択を要求するメッセージをモニター等に出力する。これに対する削除指示を削除受付部が受けると、削除部は再生済みタイトルリスト、ダビング済みタイトルリスト、及び録画予約タイトルリストをモニター等に出力して、ユーザが上記三つの一覧画面を選択的に視認できる状態にする。この状態において削除する再生済みデータ、複製済みデータ、或いは録画予約タイトルの指定がなされると、削除部は指定されたデータ或いは録画予約をハードディスクから削除する。
【００１６】
さらにこれによると、削除部が録画予約タイトルリストを出力する際に、容量判定部により算出された推定データ容量が使用可能容量を越えるために実施不可能である録画予約のタイトルに対してマークを付加してモニター等に出力する。なお付加するマークとしては、アンダーライン、文字色変化（例えば文字を赤色で表示する）、強調表示（太字、或いは斜字による表示）等があげられる。
【００１７】
さらにこれによると、録画予約情報の一部或いは全部を削除するかどうかの選択を要求するメッセージを削除受付部が出力した後、削除受付部が削除指示を受けなかった場合に、削除部は録画不可タイトルリストをモニター等に出力する。録画不可タイトルリストとは、容量判定部により算出された推定データ容量が使用可能容量を越えるために実施不可能である録画予約のタイトルの一覧である。
【００１８】
さらにこれによると、容量判定部により、所定期間内の予約録画に必要な推定データ容量が使用可能容量を越えると判定された場合に、再生済みデータ一覧画面、複製済みデータ一覧画面、および録画予約タイトル一覧画に予約録画不可を示すアイコンを出力する。その後、削除部により再生済みデータ等の削除が行われた結果、十分な使用可能容量が確保されたと容量判定部が判定すると、予約録画不可を示すアイコンの表示は停止される。
【００１９】
また上記目的を達成するために本発明の記録装置は、動画及び／若しくは音声を録画データとして記録する記録手段と、前記記録手段に記録されている情報であって前記録画データを除く情報を表示装置に出力する情報出力手段とを備えた記録装置であって、前記記録手段に記録されている録画データの中から、再生済みかつ記録日時から所定期間を超過して記録されている再生済みデータを抽出する再生済みデータ抽出手段と、前記記録装置の電源投入を検知した際に、前記再生済みデータ抽出手段を実施し、抽出された前記再生済みデータが存在する場合に、前記再生済みデータの削除を行うかどうかの指示を受け付ける削除受付手段と、前記削除受付手段が削除指示を受け付けた場合に、前記再生済みデータの表題を前記情報出力手段を用いて出力し、削除する前記再生済みデータの指定を受け付け、指定された前記再生済みデータを前記記録手段から削除する削除手段とを備えたことを特徴としている。
【００２０】
これによると、本発明の記録装置は、ハードディスク（＝記録手段）等に記録されている録画データの中から、再生済みかつ録画日時（＝記録日時）から所定期間、例えば一ヶ月を超過している再生済みデータを抽出する再生済みデータ抽出部（＝再生済みデータ抽出手段）を備えている。そして記録装置の電源が投入された際に、削除受付部（＝削除受付手段）が、再生済みデータ抽出部に対して再生済みデータ抽出を指示する。その結果、抽出されたデータが存在する場合に、抽出された再生済みデータを削除するかどうかの指示を要求するメッセージをモニター等に出力する。これに対する削除指示を削除受付部が受けると、削除部（＝削除手段）は、再生済みタイトルリスト（＝再生済みデータの表題）をモニター等に出力し、どの再生済みデータを削除するかの指定を受け付ける状態になる。この状態において削除する再生済みデータのタイトル指定がなされると、削除部は指定されたタイトルの再生済みデータをハードディスクから削除する。
【００２１】
また、上記目的を達成するために本発明の記録装置は、動画及び／若しくは音声を録画データとして記録する記録手段と、前記記録手段に記録されている情報であって前記録画データを除く情報を表示装置に出力する情報出力手段とを備えた記録装置であって、前記記録手段に記録されている録画データの中から、外部記録媒体に複製済みである複製済みデータを抽出する複製済みデータ抽出手段と、前記記録装置の電源投入を検知した際に、前記複製済みデータ抽出手段を実施し、抽出された前記複製済みデータが存在する場合に、前記複製済みデータの削除を行うかどうかの指示を受け付ける削除受付手段と、前記削除受付手段が削除指示を受け付けた場合に、前記複製済みデータの表題を前記情報出力手段を用いて出力し、削除する前記複製済みデータの指定を受け付け、指定された前記複製済みデータを前記記録手段から削除する削除手段とを備えたことを特徴としている。
【００２２】
これによると、本発明の記録装置は、ハードディスク等に記録されている録画データの中から、ＤＶＤメディア等の外部記録媒にダビング（＝複製）済みであるダビング済みデータを抽出するダビング済みデータ抽出部（＝複製済みデータ抽出手段）を備えている。そして記録装置の電源が投入された際に、削除受付部（＝削除受付手段）が、ダビング済みデータ抽出部に対してダビング済みデータ抽出を指示する。その結果、抽出されたデータが存在する場合に、抽出されたダビング済みデータを削除するかどうかの指示を要求するメッセージをモニター等に出力する。これに対する削除指示を削除受付部が受けると、削除部（＝削除手段）は、再生済みタイトルリスト（＝再生済みデータの表題）をモニター等に出力し、どのダビング済みデータを削除するかの指定を受け付ける状態になる。この状態において削除するダビング済みデータのタイトル指定がなされると、削除部は指定されたタイトルのダビング済みデータをハードディスクから削除する。
【００２３】
また、上記目的を達成するために本発明の記録装置は、動画及び／若しくは音声を録画データとして記録する記録手段と、前記記録手段に記録されている情報であって前記録画データを除く情報を表示装置に出力する情報出力手段と、前記録画データを記録する日時及び記録対象を示す録画予約指示を受け付け、前記録画予約指示の内容を録画予約情報として前記ハードディスクに記録する予約受付手段とを備えた記録装置であって、前記記録手段より前記録画予約情報を読み出し、所定期間内に前記録画予約情報に基づいて実施される録画処理に必要な推定データ容量を算出し、算出された前記推定データ容量を越える使用可能容量が前記記録手段に存在するかを判定する容量判定手段と、前記記録装置の電源が投入された際に、前記容量判定手段を実施し、前記推定データ容量を越える使用可能容量が存在しないと判定された場合に、前記録画予約情報の削除を行うかどうかの指示を受け付ける削除受付手段と、前記削除受付手段が削除指示を受け付けた場合に、前記録画予約情報を前記情報出力手段を用いて出力し、削除する前記録画予約情報の指定を受け付け、指定された前記録画予約情報を前記記録手段から削除する削除手段とを備えたことを特徴とする。
【００２４】
これによると、本発明の記録装置は、所定期間内、例えば現在から一ヶ月以内において予約録画処理によって使用されると推定されるハードディスクの容量を算出する容量判定部（＝容量判定手段）を備えている。また容量判定部は、算出された推定データ量とハードディスクの使用可能容量とを比較し、推定データ量が使用可能容量より小さいかどうか、つまり所定期間内における予約録画処理を行うのに十分な使用可能容量があるかどうかを判定する。そして記録装置の電源が投入された際に、削除受付部（＝削除受付手段）が、容量判定部に対して使用可能容量の判定処理を指示する。その結果、推定データ量が使用可能容量を越えると判定された場合に、録画予約情報の一部或いは全部を削除するかどうかの選択を要求するメッセージをモニター等に出力する。これに対する削除指示を削除受付部が受けると、削除部（＝削除手段）は、録画予約タイトルリスト（＝録画予約情報）をモニター等に出力し、どの録画予約を削除するかの指定を受け付ける状態になる。この状態において削除する録画予約のタイトル指定がなされると、削除部は指定されたタイトルの録画予約をハードディスクから削除する。
【００２５】
また、上記目的を達成するために本発明の記録装置は、前記削除手段が、前記録画予約情報を前記情報出力手段を用いて出力する際に、前記推定データ容量が前記使用可能容量を越えるために実施不可能と推定される前記録画予約情報にマークを付加して出力することを特徴としている。
【００２６】
これによると、削除部が録画予約タイトルリストを出力する際に、容量判定部により算出された推定データ容量が使用可能容量を越えるために実施不可能である録画予約のタイトルに対してマークを付加してモニター等に出力する。なお付加するマークとしては、アンダーライン、文字色変化、強調表示等があげられる。
【００２７】
また、上記目的を達成するために本発明の記録装置は、前記削除受付手段が削除指示を受け付けなかった場合に、前記削除手段が、前記推定データ容量が前記使用可能容量を越えるために実施不可能と推定される前記録画予約情報を出力することを特徴としている。
【００２８】
これによると、録画予約情報の一部或いは全部を削除するかどうかの選択を要求するメッセージを削除受付部が出力した後、削除受付部が削除指示を受けなかった場合に、削除部は録画不可タイトルリストをモニター等に出力する。録画不可タイトルリストとは、容量判定部により算出された推定データ容量が使用可能容量を越えるために実施不可能である録画予約のタイトルの一覧である。
【００２９】
また、上記目的を達成するために本発明の記録装置は、前記記録手段に記録されている録画データの中から、再生済みかつ記録日時から所定期間を超過して記録されている再生済みデータを抽出する再生済みデータ抽出手段と、前記記録手段に記録されている録画データの中から、外部記録媒体に複製済みである複製済みデータを抽出する複製済みデータ抽出手段とを備え、前記削除受付手段が削除指示を受け付けた場合に、前記削除手段が、前記再生済みデータ、前記複製済みデータ、及び前記録画予約情報の一覧を前記情報出力手段を用いて出力して削除対象の指定を受け付け、受け付けた前記指定に基づいて前記再生済みデータ、前記複製済みデータ、或いは前記録画予約情報を前記記録手段から削除することを特徴としている。
【００３０】
これによると、ハードディスクに記録されている録画データの中から、再生済みかつ記録日時から所定期間を超過している再生済みデータを抽出する再生済みデータ抽出部を備えている。また、ハードディスクに記録されている録画データの中から、ＤＶＤメディア等にダビング済みであるダビング済みデータを抽出するダビング済みデータ抽出部を備えている。そして削除受付部が削除指示を受け付けた際に、削除部は再生済みタイトルリスト、ダビング済みタイトルリスト、及び録画予約タイトルリストをモニター等に出力して、ユーザが上記三つの一覧画面を選択的に視認できる状態にする。この状態において削除する再生済みデータ、複製済みデータ、或いは録画予約タイトルの指定がなされると、削除部は指定されたデータ或いは録画予約をハードディスクから削除する。
【００３１】
また、上記目的を達成するために本発明の記録装置は、前記容量判定手段により前記推定データ容量が前記使用可能容量を越えると判定された場合に、予約録画不可を示す画像を前記情報出力手段を用いて出力することを特徴としている。
【００３２】
これによると、容量判定部により、所定期間内の予約録画に必要な推定データ容量が使用可能容量を越えると判定された場合に、再生済みデータ一覧画面、複製済みデータ一覧画面、および録画予約タイトル一覧画に予約録画不可を示すアイコンを出力する。その後、削除部により再生済みデータ等の削除が行われた結果、十分な使用可能容量が確保されたと容量判定部が判定すると、予約録画不可を示すアイコンの表示は停止される。
【発明の効果】
【００３３】
本発明によれば、記録装置の電源が投入された際に、再生済みかつ記録日時から所定期間を超過している再生済みデータが存在する場合、再生済みタイトルリストを表示する。このためユーザは、再生済みの古い録画データが存在することを確実に知ることができると共に、一覧画面において古い録画済みデータを手軽に削除することができる。この結果、再生済みの古い録画データが放置され、ハードディスクの容量を圧迫することがない。また、再生済みの古い録画データと最新の録画データが混在し、録画データの整理作業の負担が増加するといった問題を防止することができる。
【００３４】
また本発明によれば、記録装置の電源が投入された際に、ＤＶＤメディア等へのダビング済みデータが存在する場合、ダビング済みタイトルリストを表示する。このためユーザは、ダビング済みの録画データが存在することを確実に知ることができると共に、一覧画面においてダビング済みデータを手軽に削除することができる。この結果、ダビング済みデータが放置され、ハードディスクの容量を圧迫することがない。また、ダビング済みデータと最新の録画データが混在し、録画データの整理作業の負担が増加するといった問題を防止することができる。
【００３５】
また本発明によれば、記録装置の電源が投入された際に、所定期間内において予約録画処理によって使用されると推定される推定データ容量を算出することにより、予約録画処理を行うのに十分な使用可能容量があるかを判定する。そして使用可能容量が不足している場合、録画予約タイトルリストを表示して録画予約の削除指示を受け付ける。このためユーザは、録画予約が不可であることを確実に知ることができると共に、録画予約タイトルリストを用いて録画予約を手軽に削除することができる。この結果、録画不可状態に気づかず、録画予約に失敗してしまうことがない。また、録画予約設定後にハードディスクの使用可能容量が減少して予約不可状態になった場合においても、電源起動時に録画予約不可状態であることを確実に知らせることができる。また、推定データ容量を算出する期間をあらかじめ定めているため、定期録画についても推定データ容量の算出が可能である。従って、通常の録画予約と定期録画予約が混在している場合でも、使用可能容量が十分かどうかの判断を行うことができる。
【００３６】
また本発明によれば、使用可能容量不足が検知された後に削除受付部が削除指示を受けなかった場合に、削除部は録画不可タイトルリストを表示する。このためユーザ、削除指示を行わなかった場合に、どれだけの録画予約が実施不可能であるかを容易に確認することができる。
【００３７】
また本発明によれば、削除部が録画予約タイトルリストを出力する際に、前記推定データ容量が前記使用可能容量を越えるために実施不可能であると推定される録画予約タイトルに対してマークを付加してモニター等に出力する。このためユーザは、実施可能である録画予約タイトルと実施不可能である録画予約タイトルを容易に見分けることができる。
【００３８】
また本発明によれば、削除受付部が削除指示を受け付けた際に、削除部は再生済みタイトルリスト、ダビング済みタイトルリスト、及び録画予約タイトルリストをモニター等に出力し、ユーザが上記三つのリスト表示画面を選択的に確認できる状態にする。このためユーザは、削除対象を上記三つの中から選択して指定することができる。例えば、録画予約の削除を行いたくない場合であっても、再生済みデータ或いは複製済みデータを削除することによる使用可能容量の確保を容易に行うことができる。
【００３９】
また本発明によれば、予約録画に必要な推定データ容量が使用可能容量を越えると判定された場合に、予約録画不可を示すアイコンが表示される。このため、ユーザは録画予約不可状態であることを確実に知ることが出来る。また、例えばダビング済みデータ等を削除して使用可能容量を確保している場合に、録画予約を行うのに十分な使用可能容量が確保できた場合に、即座に知ることが出来る。
【発明を実施するための最良の形態】
【００４０】
以下に本発明の実施形態を、図面を参照しながら説明する。なお、ここで示す実施形態は一例であり、本発明はここに示す実施形態に限定されるものではない。
【００４１】
［実施の形態１］
〈１−１．内部構成について〉
図２は、本発明の一実施形態に係るハードディスク搭載ＤＶＤレコーダ１（＝記録装置）を示す構成図である。ハードディスク搭載ＤＶＤレコーダ１は、少なくとも、制御部１１、メモリ１２、ハードディスク１３、データ入力部１４、エンコーダ部１５、データ出力部１６、光ディスクドライブ１７、操作ボタン群１８、フロントパネル１９、及びＯＳＤ生成部２０を含むように構成されている。
【００４２】
制御部１１は、ハードディスク搭載ＤＶＤレコーダ１の各部材の駆動を制御することにより画像情報処理、例えばコンテンツの録画或いは再生等を統括制御するためのものであり、例えば複数のマイクロプロセッサから構成されている。また制御部１１は、各装置（例えばハードディスク１３等）の制御やデータの計算、加工処理等を行なう中枢部分となっている。なお、制御部１１が備える各機能部（予約受付部１１ａ〜削除部１１ｆ）の詳細については後述する。
【００４３】
メモリ１２は、ハードディスク搭載ＤＶＤレコーダ１が保持する各種データを一時的に記録する媒体であり、例えば書込可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００４４】
ハードディスク１３（＝記録手段）は、ハードディスク搭載ＤＶＤレコーダ１が保持する録画データ、或いは後述する録画予約タイトルリスト等を記録するための磁気記録媒体である。なお、ハードディスク１３は、複数の領域（＝パーティション）に分割されており、記録するデータの種別に応じて領域別に記録することがより望ましい。ハードディスク１３は少なくとも、録画データ記録領域１３ａ、及び管理情報記録領域１３ｂを含むように構成されている。なお、各記録領域の詳細については後述する。
【００４５】
データ入力部１４は、例えばデジタルチューナー等の外部装置からデジタルデータを入力するための入力インターフェースである。また、例えばアナログデータを入力する場合は、Ａ／Ｄコンバータ（Analog Digital Converter）を用いてアナログの動画データ及び音声データをデジタルデータに変換して入力することが可能である。
【００４６】
エンコーダ部１５は、動画データをＭＰＥＧ２等の動画圧縮方式により圧縮を行ったり、音声データをＤｏｌｂｙ  ＡＣ−３やＬＰＣＭ等の音声圧縮方式により圧縮を行ったりする。なお、圧縮を行うデータとしては、例えばデータ入力部１４より入力された動画データ及び音声データ等が対象となる。なお、入力された動画データが既になんからの圧縮方式で圧縮されている場合は、エンコードを行わないようにすることも可能である。
【００４７】
データ出力部１６（＝情報出力手段の一構成要素）は、モニター等の外部表示装置に対して、ハードディスク搭載ＤＶＤレコーダ１が保持する各種情報、例えば録画予約情報や録画データ管理情報等を画像信号に変換して出力するための出力インターフェースである。
【００４８】
光ディスクドライブ１７は、ＣＤメディア、或いはＤＶＤメディア等の光ディスクに対して光学的に各種データの書き込みを行うための光学装置である。なお、光ディスクには複数の規格が存在するため、光ディスクドライブ１７の規格に応じた光ディスクを使用しなければ、各種処理（録画等）を行うことができない。
【００４９】
操作ボタン群１８は、ユーザが番組の録画及び録画予約等の各種指示をハードディスク搭載ＤＶＤレコーダ１に対して行なうための入力インターフェースである。操作ボタン群１８により出力された指示は、制御部１１により受け付けられる。指示を受け付けた制御部１１は、指示の内容に基づいて各種処理を行う。フロントパネル１９は、ハードディスク搭載ＤＶＤレコーダ１の各種情報をユーザに対して表示する。
【００５０】
ＯＳＤ（on-screen display）生成部２０（＝情報出力手段の一構成要素）は、画像信号生成部である。ＯＳＤ生成部２０は、ハードディスク搭載ＤＶＤレコーダ１が出力すべき情報をユーザが視認できる画像情報に変換し、変換した画像情報を外部モニター等に表示するための画像信号を生成する。生成された画像信号はデータ出力部１６に送られ、外部モニター等に出力される。
【００５１】
〈１−２．機能部の構成について〉
【００５２】
ここで、本発明の第一の実施形態に係るハードディスク搭載ＤＶＤレコーダ１が備える録画管理機能を構成する各機能部の関係を、図１の機能ブロック図を用いながら説明する。
【００５３】
図１に示すように本発明の録画管理機能は少なくとも、制御部１１が備える予約受付部１１ａ（＝予約受付手段）、再生済みデータ抽出部１１ｂ（＝再生済みデータ抽出手段）、ダビング済みデータ抽出部１１ｃ（＝複製済みデータ抽出手段）、容量判定部１１ｄ（＝容量判定手段）、削除受付部１１ｅ（＝削除受付手段）、及び削除部１１ｆ（＝削除手段）と、ハードディスク１３が備える録画データ記録領域１３ａ、及び管理情報記録領域１３ｂと、データ出力部１６と、ＯＳＤ生成部２０とにより構成される。
【００５４】
予約受付部１１ａは、制御部１１がユーザより指定された時刻に録画処理を行うための録画予約指示をユーザより受け付ける。録画予約指示には、録画を行う番組のチャネル、放送日時、或いは録画モード（＝録画を行う際のビットレートの大きさ）等を含む情報が含まれている。ユーザは操作ボタン群１８を用いて、これらの情報を入力する。また予約受付部１１ａは受け付けた録画予約指示に基づいて録画予約タイトルリスト（＝録画予約情報）を作成し、後述する管理情報記録領域１３ｂに記録する。
【００５５】
再生済みデータ抽出部１１ｂは、録画データ記憶領域１３ａに記録されている録画データの中から、再生済み（＝ユーザが視聴済み）かつ録画日時から所定期間（例えば一ヶ月）が経過している録画データのみを抽出する。具体的には、管理情報記録領域１３ｂに記録されている各録画データの管理情報を参照する。管理情報には各録画データの録画日時及び再生済み／未再生を示す情報が含まれており、これらに基づいて再生済みかつ所定期間経過データを特定する。特定された録画データの情報は、後述する削除受付部１１ｅに与えられる。なお、所定期間の長さはハードディスク搭載ＤＶＤレコーダ１の工場出荷時に設定される形態であってもよいし、ユーザが後で任意に設定変更できる形態であってもよい。
【００５６】
ダビング済みデータ抽出部１１ｃは、録画データ記憶領域１３ａに記録されている録画データの中から、ダビング済み（＝ＤＶＤメディア等のＨＤＤ以外の記録媒体に複製済み）の録画データのみを抽出する。具体的には、管理情報記録領域１３ｂに記録されている各録画データの管理情報を参照する。管理情報には各録画データのダビング済み／未ダビングを示す情報が含まれており、これらに基づいてダビング済みデータを特定する。特定された録画データのタイトルは、後述する削除受付部１１ｅに与えられる。
【００５７】
容量判定部１１ｄは、ユーザにより設定された録画予約情報を管理情報記録領域１３ｂより読み出し、所定期間内（例えば現在時刻から二週間以内）において上記録画予約情報に基づいて実行される録画予約処理が使用すると推定される録画データ記録領域１３ａの容量（＝推定データ容量）を計算する。容量計算は、各録画予約における録画時間及び録画モードに基づいて行われる。従って同じ録画時間であっても、録画モードが高ビットレートに指定されている録画予約ほど、多くの容量を使用することとなる。算出された推定データ容量は、後述する削除受付部１１ｅに与えられる。なお、所定期間の長さはハードディスク搭載ＤＶＤレコーダ１の工場出荷時に設定される形態であってもよいし、ユーザが後で任意に設定変更できる形態であってもよい。
【００５８】
削除受付部１１ｅは、ハードディスク搭載ＤＶＤレコーダ１の電源が投入された際に、再生済みデータ抽出部１１ｂ、ダビング済みデータ抽出部１１ｃ、及び容量判定部１１ｄに対して各機能部が備える機能の実施を命令する。そして各機能部よりえられた実施結果に基づいて、ユーザに対して録画データ或いは録画予約の削除を行うかどうかのメッセージをＯＳＤ生成部２０及びデータ出力部１６を用いて出力する。そしてユーザからの削除指示待ち受け状態に移行する。具体的には、再生済みデータ抽出部１１ｂから再生済みデータが存在すると通知された場合、ダビング済みデータ抽出部１１ｃからダビング済みデータが存在すると通知された場合、或いは容量判定部１１ｄから使用可能容量不足を通知された場合等に、上記メッセージを出力する。
【００５９】
削除部１１ｆは、削除受付部１１ｅが録画データ或いは録画予約の削除指示を受け付けた際に、再生済みデータのタイトル一覧（＝再生済みタイトルリスト）、ダビング済みデータのタイトル一覧（＝ダビング済みタイトルリスト）、或いは録画予約のタイトル一覧（＝録画予約タイトルリスト）を、ＯＳＤ生成部２０及びデータ出力部１６を用いて出力する。なお録画予約タイトルリストを出力する場合は、容量不足により録画実施不可と推定される録画予約タイトルにマーク（例えばアンダーライン等）を付加する。
【００６０】
各リスト表示画面を出力後、削除部１１ｆは削除対象（例えばダビング済みデータ）の指定を待ち受ける状態に移行する。削除対象の指定を受け付けた削除部１１ｆは、削除対象に指定された録画データ或いは録画予約に関連する情報をハードディスク１３より削除する。
【００６１】
また削除部１１ｆは、削除受付部１１ｅが指示受け付け状態に入った後、ユーザより削除指示を受けなかった場合に、録画不可タイトルリストを出力する。録画不可タイトルリストとは、容量不足により録画実施不可と推定される録画予約のタイトルを一覧にしたものである。或いは、容量不足により録画実施不可と推定される録画予約のタイトルのみにマークを付加した形態であってもよい。
【００６２】
例えば、ＯＳＤ生成部２０が録画予約タイトルリストを示す映像情報を作成する際に、録画実施不可と推定されるタイトルの文字色を変える、或いはタイトルにアンダーラインを引くことにより、録画実施可能タイトルとの差を視覚的に判別できるようにする。
【００６３】
録画データ記録領域１３ａは、データ入力部１４より入力された、或いは光ディスクドライブ１７により光ディスク（不図示）から読み出された、動画データ及び音声データを記録するため領域である。
【００６４】
管理情報記録領域１３ｂは、予約受付手段１１ｂにより作成された録画予約タイトルリストや、録画データ記録領域１３ａに記録されている録画データの管理情報、例えば録画日時やデータサイズ、再生済み／未再生等を示す情報を記録するための領域である。
【００６５】
〈１−３．再生済みタイトルリスト表示画面について〉
ここで、本発明の第一の実施形態に係るハードディスク搭載ＤＶＤレコーダ１が備えるＯＳＤ生成部２０が作成しデータ出力部１６が出力する再生済みタイトルリスト表示画面について、図６の画面図を用いながら説明する。
【００６６】
図６は、本発明のハードディスク搭載ＤＶＤレコーダ１の再生済みタイトルリスト表示画面の一例である。図６に示されているように、本発明のハードディスク搭載ＤＶＤレコーダ１の再生済みタイトルリスト表示画面は、少なくともリスト表示部５１ａ、予約録画不可アイコン５２、カーソル５３を含むように構成されている。
【００６７】
リスト表示部５１ａは、録画データ記録領域１３ａに記録されている再生済みデータのタイトル、録画日時、録画チャネル、および録画モードを一覧表示する表示部である。図６に示す例では、録画日数を並べ替えのキーとして、録画日時が古い録画データから順に表示している。なお、図６の例では録画データのデータサイズは示されていないが、データサイズを表示し、データサイズを並べ替えのキーとする形態であってもよい。
【００６８】
予約録画不可アイコン５２は、ハードディスク１３の使用可能容量不足により、管理情報記憶領域１３ｂに記憶されている録画予約タイトルリストに基づく録画の一部或いは全部が実行できない場合において表示される。なお、ユーザが後述するカーソル５３を用いて再生済みデータを削除することにより容量不足が解消された場合、予約録画不可アイコン５２は非表示となる。
【００６９】
カーソル５３は、ユーザが操作ボタン群１８を用いて操作を行うことにより、削除対象としたい再生済みタイトルリストを指定するためのものである。カーソル５３により指定された再生済みタイトルは、例えば操作ボタン群１８に備えられた削除ボタンをユーザが押下することによりハードディスク１３より削除される。
【００７０】
〈１−４．録画不可タイトルリスト表示画面について〉
ここで、本発明の第一の実施形態に係るハードディスク搭載ＤＶＤレコーダ１が備えるＯＳＤ生成部２０が作成しデータ出力部１６が出力する録画不可タイトルリスト表示画面について、図１１の画面図を用いながら説明する。
【００７１】
図１１は、本発明のハードディスク搭載ＤＶＤレコーダ１の録画不可タイトルリスト表示画面の一例である。図１１に示されているように、本発明の録画不可タイトルリストは、少なくともリスト表示部５１ｃ、予約録画不可アイコン５２を含むように構成されている。
【００７２】
リスト表示部５１ｃは、管理情報記録領域１３ｂに記録されている録画予約タイトルリストが含む予約タイトル、録画日時、録画チャネル、および録画モードを一覧表示する表示部である。図１１に示す例では、録画日数を並べ替えのキーとして、録画日時が直近の予約タイトルから順に表示している。なお、図１１の例では録画データのデータサイズは示されていないが、データサイズを表示し、データサイズを並べ替えのキーとする形態であってもよい。
【００７３】
リスト表示部５１ｃにおいては、ハードディスク１３の容量不足により実施不可能であることが推定される録画予約タイトルにマーク（＝図１１に示す例ではタイトル下のアンダーライン）が施されて表示されている。図１１の例では、「３．サッカー中継」及び「４．月曜ドラマ劇場」が、容量不足により録画不可能と推定されるタイトルを示している。なお、録画不可タイトルのみを抽出して表示し、録画可能タイトル（＝図１１に示す例では「１．月曜ドラマ劇場」及び「２．スポーツニュース」）は表示しない形態であってもよい。
【００７４】
予約録画不可アイコン５２については本実施形態の図６と同内容であるため、ここでは説明を省略する。
【００７５】
〈１−５．再生済みタイトルリストの表示処理について〉
ここで、本発明の第一の実施形態に係るハードディスク搭載ＤＶＤレコーダ１における再生済みタイトルリストの表示処理を、図１及び図２のブロック図と、図３のフロー図と、図６及び図１１の画面図を用いながら説明する。
【００７６】
図３は、本発明の再生済みタイトルリスト表示処理の処理フローを示したフローチャートである。本処理は、削除受付部１１ｅが、ハードディスク搭載ＤＶＤレコーダ１の電源が投入されたことを検知することにより開始される。なお、ここでいう電源投入とは、ユーザが操作ボタン群１８に含まれる電源ボタンを押下することにより、ハードディスク搭載ＤＶＤレコーダ１がユーザ操作可能状態に移行することを示している。ただし、予約録画開始等における自動電源投入時において本処理を実施する形態であっても構わない。
【００７７】
電源投入を検知した削除受付部１１ｅは、ステップＳ１１０において、再生済みデータ抽出部１１ｂに対して再生済みデータの抽出指示を与える。指示を受けた再生済みデータ抽出部１１ｂは、ステップＳ１２０において、管理情報記録領域１３ｂを参照して再生済みデータの抽出を行い。抽出された再生済みデータが存在するかどうかの判定を行う。
【００７８】
ステップＳ１２０において、再生済みデータが存在しない判定された場合、本処理を終了する。逆に存在すると判定された場合、再生済みデータ抽出部１１ｂはステップＳ１３０において、各再生済みデータが録画されてから所定期間を経過しているか、つまり録画日時と現在日時との差が所定期間、例えば一ヶ月を超過しているかどうかの判定を行う。
【００７９】
ステップＳ１３０において、所定期間を超過している再生済みデータが一つも存在しないと判定された場合、本処理を終了する。逆に所定期間を超過している再生済みデータが一つ以上存在すると判定された場合、再生済みデータ抽出部１１ｄは削除受付部１１ｅに対して再生済みデータが存在することを通知する。通知を受けた削除受付部１１ｅは、ステップＳ１４０において、再生済みデータが存在することを通知するメッセージを、ＯＳＤ生成部２０を用いて出力する。そして再生済みデータの削除を行うかどうかの指示を待ち受ける状態に移行する。
【００８０】
具体的には例えば、ＯＳＤ生成部２０を用いて「再生済みの古い録画データがあります。削除しますか？  ＹＥＳ／ＮＯ」といった内容のメッセージ画像を作成し、データ出力部１６が上記メッセージ画像を外部モニター等に出力する。
【００８１】
次に削除受付部１１ｅは、ステップＳ１５０において、再生済みデータの削除指示を受け付けたかどうかの判定を行う。なお、再生済みデータの削除指示は、例えばＯＳＤ生成部２０により作成された上記メッセージが表示されている状態において、ユーザが操作ボタン群１８を用いて「ＹＥＳ」を選択する操作を行った場合等に発行される。
【００８２】
ステップＳ１５０において、再生済みデータの削除指示を受け付けなかった場合、削除部１１ｆはステップＳ１５５において、図１１に示す録画不可タイトルリストを所定時間だけ表示した後、本処理を終了する。例えば上記メッセージに対して「ＮＯ」が選択された場合や、或いは待ち受け状態に移行してから所定時間が経過した場合がこれにあたる。
【００８３】
逆に再生済みデータの削除指示を受け付けた場合、削除受付部１１ｅは、再生済みかつ所定期間超過の録画データの管理情報を削除部１１ｆに対して通知する。上記通知を受けた削除部１１ｆは、ステップＳ１６０において、通知された再生済みデータの管理情報をもとに、図６に示す再生済みタイトルリストを、ＯＳＤ生成部２０を用いて作成し、データ出力部１６から出力する。そして削除する再生済みタイトルを外部から受け付ける、指示待ち受け状態となる。
【００８４】
次に削除部１１ｆは、ステップＳ１７０において、削除する再生済みタイトルの指示を受け付けたかどうかの判定を行う。なお、削除する再生済みタイトルの指示は、例えばユーザが操作ボタン群１８を操作して図６に示すカーソル５３を移動させ、決定ボタンを押下することによって発行される。
【００８５】
ステップＳ１７０において、削除する再生済みタイトルの指示を受け付けなかった場合、例えば指示待ち受け状態が一分以上続いた場合、削除部１１ｆはステップＳ１５５において、図１１に示す録画不可タイトルリストを所定時間だけ表示した後、本処理を終了する。逆に削除する再生済みタイトルの指示を受け付けた場合、削除部１１ｆはステップＳ１８０において、指示された再生済みタイトルに関連する管理情報及び録画データをハードディスク１３より削除して本処理を終了する。
【００８６】
なお、削除する再生済みタイトルを複数選択して一括削除することも可能である。また、削除処理により録画予約を実施するために十分な使用可能容量が確保された場合は、図６に示す予約録画不可アイコンを非表示にする。
【００８７】
［実施の形態２］
〈２−１．内部構成について〉
実施の形態１と同内容であるため、ここでは説明を省略する。
【００８８】
〈２−２．機能部の構成について〉
実施の形態１と同内容であるため、ここでは説明を省略する。
【００８９】
〈２−３．ダビング済みタイトルリスト表示画面について〉
ここで、本発明の第二の実施形態に係るハードディスク搭載ＤＶＤレコーダ１が備えるＯＳＤ生成部２０が作成しデータ出力部１６が出力するダビング済みタイトルリスト表示画面について、図７の画面図を用いながら説明する。
【００９０】
図７は、本発明のハードディスク搭載ＤＶＤレコーダ１のダビング済みタイトルリスト表示画面の一例である。図７に示されているように、本発明のハードディスク搭載ＤＶＤレコーダ１のダビング済みタイトルリスト表示画面は、少なくともリスト表示部５１ｂ、予約録画不可アイコン５２、カーソル５３を含むように構成されている。
【００９１】
リスト表示部５１ｂは、録画データ記録領域１３ａに記録されているダビング済みデータのタイトル、録画日時、録画チャネル、および録画モードを一覧表示する表示部である。図７に示す例では、録画日数を並べ替えのキーとして、録画日時が古い録画データから順に表示している。なお、図７の例では録画データのデータサイズは示されていないが、データサイズを表示し、データサイズを並べ替えのキーとする形態であってもよい。
【００９２】
予約録画不可アイコン５２、及びカーソル５３については実施の形態１と同内容であるため、ここでは説明を省略する。
【００９３】
〈２−４．録画不可タイトルリスト表示画面について〉
実施の形態１と同内容であるため、ここでは説明を省略する。
【００９４】
〈２−５．ダビング済みタイトルリストの表示処理について〉
ここで、本発明の第二の実施形態に係るハードディスク搭載ＤＶＤレコーダ１におけるダビング済みタイトルリストの表示処理を、図１及び図２のブロック図と、図４のフロー図と、図７及び図１１の画面図を用いながら説明する。
【００９５】
図４は、本発明のダビング済みタイトルリスト表示処理の処理フローを示したフローチャートである。本処理は削除受付部１１ｅが、ハードディスク搭載ＤＶＤレコーダ１の電源が投入されたことを検知することにより開始される。なお、ここでいう電源投入とは、ユーザが操作ボタン群１８に含まれる電源ボタンを押下することにより、ハードディスク搭載ＤＶＤレコーダ１がユーザ操作可能状態に移行することを示している。ただし、予約録画開始等における自動電源投入時において本処理を実施する形態であっても構わない。
【００９６】
電源投入を検知した削除受付部１１ｅは、ステップＳ２１０において、ダビング済みデータ抽出部１１ｃに対してダビング済みデータの抽出指示を与える。指示を受けたダビング済みデータ抽出部１１ｃは、ステップＳ２２０において、管理情報記録領域１３ｂを参照してダビング済みデータの抽出を行う。そして抽出されたダビング済みデータが存在するかどうかの判定を行う。
【００９７】
ステップＳ２２０において、抽出されたダビング済みデータが存在しないと判定された場合、本処理を終了する。逆に存在すると判定された場合、ダビング済みデータ抽出部１１ｃは削除受付部１１ｅに対してダビング済みデータが存在することを通知する。通知を受けた削除受付部１１ｅは、ステップＳ２３０において、ダビング済みデータが存在することを通知するメッセージを、ＯＳＤ生成部２０を用いて出力する。そしてダビング済みデータの削除を行うかどうかの指示を待ち受ける状態に移行する。
【００９８】
具体的には例えば、ＯＳＤ生成部２０が「ダビング済みの録画データがあります。削除しますか？  ＹＥＳ／ＮＯ」といった内容のメッセージを作成し、データ出力部１６が上記メッセージを外部モニター等に出力する。
【００９９】
次に削除受付部１１ｅは、ステップＳ２４０において、ダビング済みデータの削除指示を受け付けたかどうかの判定を行う。なお、ダビング済みデータの削除指示は、例えばＯＳＤ生成部２０により作成された上記メッセージが表示されている状態において、操作ボタン群１８を用いてユーザが「ＹＥＳ」を選択する操作を行った場合等に発行される。
【０１００】
ステップＳ２４０において、ダビング済みデータの削除指示を受け付けなかった場合、削除部１１ｆはステップＳ２４５において、図１１に示す録画不可タイトルリストを所定時間だけ表示した後、本処理を終了する。例えば、上記メッセージに対して「ＮＯ」が選択された場合、或いは待ち受け状態に移行してから所定時間が経過した場合等がこれにあたる。
【０１０１】
逆にダビング済みデータの削除指示を受け付けた場合、削除受付部１１ｅは、ダビング済みデータの管理情報を削除部１１ｆに対して通知する。上記通知を受けた削除部１１ｆは、ステップＳ２５０において、通知されたダビング済みデータの管理情報をもとに、図７に示すダビング済みタイトルリストを、ＯＳＤ生成部２０を用いて作成し、データ出力部１６により出力する。そして削除するダビング済みタイトルを外部から受け付ける、指示待ち受け状態となる。
【０１０２】
次に削除部１１ｆは、ステップＳ２６０において、削除するダビング済みタイトルの指示を受け付けたかどうかの判定を行う。なお、削除するダビング済みタイトルの指示は、例えばユーザが操作ボタン群１８を操作して図７に示すカーソル５３を移動させ、決定ボタンを押下することによって発行される。
【０１０３】
ステップＳ２６０において、削除するダビング済みタイトルの指示を受け付けなかった場合、例えば指示待ち受け状態が一分以上続いた場合、削除部１１ｆはステップＳ２４５において、図１１に示す録画不可タイトルリストを所定時間だけ表示した後、本処理を終了する。逆に削除するダビング済みタイトルの指示を受け付けた場合、削除部１１ｆはステップＳ２７０において、指示されたダビング済みタイトルに関連する管理情報及び録画データをハードディスク１３より削除して本処理を終了する。
【０１０４】
なお、削除するダビング済みタイトルを複数選択して一括削除することも可能である。また、削除処理により録画予約を実施するために十分な使用可能容量が確保された場合は、図７に示す予約録画不可アイコンを非表示にする。
【０１０５】
［実施の形態３］
〈３−１．内部構成について〉
実施の形態１と同内容であるため、ここでは説明を省略する。
【０１０６】
〈３−２．機能部の構成について〉
実施の形態１と同内容であるため、ここでは説明を省略する。
【０１０７】
〈３−３．録画予約タイトルリスト表示画面について〉
ここで、本発明の第三の実施形態に係るハードディスク搭載ＤＶＤレコーダ１が備えるＯＳＤ生成部２０が作成しデータ出力部１６が出力する録画予約タイトルリスト表示画面について、図８の画面図を用いながら説明する。なお、録画予約タイトルリストは予約受付手段１１により予め作成されて管理情報記録領域１３ｂに記録されている。
【０１０８】
図８は、本発明のハードディスク搭載ＤＶＤレコーダ１の録画予約タイトルリスト表示画面の一例である。図８に示されているように、本発明のハードディスク搭載ＤＶＤレコーダ１の録画予約タイトルリスト表示画面は、少なくともリスト表示部５１ｃ、予約録画不可アイコン５２、カーソル５３、及びタブ５４を含むように構成されている。
【０１０９】
リスト表示部５１ｃについては、実施の形態１の図１１と同内容であるため、ここでは説明を省略する。また予約録画不可アイコン５２、及びカーソル５３についても実施の形態１と同内容であるため、ここでは説明を省略する。タブ５４は、図８に示す録画予約タイトルリスト表示画面を、図９に示す再生済みタイトルリスト表示画面、及び図１０に示すダビング済みリスト表示画面に切り替えるためのものである。ユーザは操作ボタン群１８を用いてタブ切り替え操作（アクティブタブの選択）を行なうことにより、任意に上記三つの画面の切り替えることが可能である。
【０１１０】
なお、図９は「再生済み」タブがアクティブにされた場合の、図１０は「ダビング済み」タブがアクティブにされた場合の画面を示している。タブ５４が備えられていること以外は実施の形態１の図６、及び実施の形態２の図７と同内容であるため、ここでは詳細の説明を省略する。
【０１１１】
〈３−４．録画不可タイトルリスト表示画面について〉
実施の形態１と同内容であるため、ここでは説明を省略する。
【０１１２】
〈３−５．録画予約タイトルリストの表示処理について〉
ここで、本発明の第三の実施形態に係るハードディスク搭載ＤＶＤレコーダ１における録画予約タイトルリストの表示処理を、図１及び図２のブロック図と、図５のフロー図と、図８〜図１１の画面図を用いながら説明する。
【０１１３】
図５は、本発明の録画予約タイトルリスト表示処理の処理フローを示したフローチャートである。図５に示すように本処理は、削除受付部１１ｅが、ハードディスク搭載ＤＶＤレコーダ１の電源が投入されたことを検知することにより開始される。なお、ここでいう電源投入とは、ユーザが操作ボタン群１８に含まれる電源ボタンを押下することにより、ハードディスク搭載ＤＶＤレコーダ１がユーザ操作可能状態に移行することを示している。ただし、予約録画開始等における自動電源投入時において本処理を実施する形態であっても構わない。
【０１１４】
電源投入を検知した制御部１１は、ステップＳ３１０において、実施の形態１に示されている再生済みタイトルリストの表示処理を実施する。つまり図３に示される処理フローを実施する。図３の処理フローが終了した後、制御部１１は、ステップＳ３２０において実施の形態２に示されているダビング済みタイトルリストの表示処理を実施する。つまり図４に示される処理フローを実施する。
【０１１５】
図４の処理フローが終了した後、削除受付部１１ｅは、容量判定部１１ｄに対して容量判定処理の実施を指示する。指示を受けた容量判定部１１ｄはステップＳ３３０において、録画予約情報を管理情報記録領域１３ｂより読み出し、所定期間内、例えば現在時刻から二週間以内における録画予約情報を抽出する。そして容量判定部１１ｄは、ステップＳ３４０において、抽出した録画予約情報に基づいて実行される録画処理によって使用されるデータ容量（＝推定データ容量）を算出する。
【０１１６】
さらに容量判定部１１ｄは、ステップＳ３５０において、算出された推定データ容量と、ハードディスク１３の使用可能容量とを比較する。ハードディスク１３の使用可能容量が推定データ容量より大きい場合は、本処理を終了する。逆にハードディスク１３の使用可能容量が推定データ容量より小さい場合、容量判定部１１ｄは削除受付部１１ｅに対して使用可能容量不足の通知を行なう。
【０１１７】
上記通知を受けた削除受付部１１ｅは、ステップＳ３６０において、使用可能容量不足を通知するメッセージを、ＯＳＤ生成部２０を用いて出力する。そして録画データ、或いは録画予約の削除を行うかどうかの指示を待ち受ける状態に移行する。
【０１１８】
具体的には例えば、ＯＳＤ生成部２０が「ＨＤＤの使用可能容量が少なくなっています。録画予約の削除、或いは不要な録画データの削除を行なって下さい。録画予約／録画データを削除しますか？  ＹＥＳ／ＮＯ」といった内容のメッセージを作成し、データ出力部１６が上記メッセージを外部モニター等に出力する。
【０１１９】
次に削除受付部１１ｅは、ステップＳ３７０において、録画予約／録画データの削除指示を受け付けたかどうかの判定を行う。なお、録画予約／録画データの削除指示は、例えばＯＳＤ生成部２０により作成された上記メッセージが表示されている状態において、操作ボタン群１８を用いてユーザが「ＹＥＳ」を選択する操作を行った場合等に発行される。
【０１２０】
ステップＳ３７０において、録画予約／録画データの削除指示を受け付けなかった場合、削除部１１ｆはステップＳ３７５において、図１１に示す録画不可タイトルリストを所定時間だけ表示した後、本処理を終了する。例えば上記メッセージに対して「ＮＯ」が選択された場合、或いは待ち受け状態に移行してから所定時間が経過した場合がこれにあたる。
【０１２１】
逆に録画予約／録画データの削除指示を受け付けた場合、削除受付部１１ｅは削除部１１ｆに対して、録画予約タイトルリスト／再生済みタイトルリスト／ダビング済みタイトルリストの表示指示を与える。上記指示を受けた削除部１１ｆは、ステップＳ３８０において、図８〜図１０に示す各タイトルリストを、ＯＳＤ生成部２０を用いて作成し、データ出力部１６により出力する。そして削除する録画予約或いは録画データのタイトルを受け付ける、指示待ち受け状態となる。なおこの状態においてユーザは、タブ５４を用いて図８〜図１０の各画面を切り替えることが可能である。
【０１２２】
ステップＳ３８０において、再生済みタイトルリストの表示が選択された場合、削除部１１ｆは、ステップＳ３９０において、図９に示す再生済みタイトルリストの表示を行う。そしてステップＳ４００において、削除する再生済みタイトルの指定を受け付ける。そして受け付けた再生済みタイトルに関連する管理情報及び録画データをハードディスク１３より削除した後、後述するステップＳ４５０に移行する。
【０１２３】
またステップＳ３８０において、ダビング済みタイトルリストの表示が選択された場合、削除部１１ｆは、ステップＳ４１０において、図１０に示すダビング済みタイトルリストの表示を行う。そしてステップＳ４２０において、削除するダビング済みタイトルの指定を受け付ける。そして受け付けたダビング済みタイトルに関連する管理情報及び録画データをハードディスク１３より削除した後、後述するステップＳ４５０に移行する。
【０１２４】
またステップＳ３８０において、録画予約タイトルリストの表示が選択された場合、削除部１１ｆは、ステップＳ４３０において、図８に示す録画予約タイトルリストの表示を行う。そしてステップＳ４４０において、削除する録画予約タイトルの指定を受け付ける。そして受け付けた録画予約タイトルに関連する録画予約情報を管理情報記録領域１３ｂより削除した後、後述するステップＳ４５０に移行する。
【０１２５】
削除部１１ｆは、ステップＳ４５０において、容量判定部１１ｄに対して容量判定処理の実施を指示する。指示を受けた容量判定部１１ｄは、ステップＳ３５０と同様に、所定期間内において予約録画処理によって使用される推定データ容量とハードディスク１３の使用可能容量とを比較する。
【０１２６】
ハードディスク１３の使用可能容量が推定データ容量より小さい場合は、ステップＳ３８０に再び移行する。逆にハードディスク１３の使用可能容量が予約録画処理によって使用されるデータ容量より大きい場合は、削除部１１ｆはステップＳ４６０において、予約録画不可アイコン５２を非表示にした後、本処理を終了する。
【０１２７】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【０１２８】
従って本発明は、以下の形態にも適用可能である。
（Ａ）本実施形態では、ハードディスク搭載ＤＶＤレコーダ１の起動時に再生済みタイトル、ダビング済みタイトル、及び録画予約のチェックを行っているが、毎回の起動時ではなく、所定回数に一回の割合、例えば五回につき一回の割合で起動時にチェックを行う方式であってもよい。また、上記所定回数はユーザが任意に設定変更可能である形態でもよい。
【０１２９】
（Ｂ）本実施形態では、録画予約情報を管理情報記録領域１３ｂに記録する構成を例として説明したが、録画予約情報を管理情報記録領域１３ｂ以外の記録媒体に記録する構成でもよい。例えば、メモリ１２、管理情報記録領域１３ｂとは異なるハードディスク１３内の領域、或いは外部記録媒体等に記録する形態でもよい。
【０１３０】
（Ｃ）本実施形態では、削除処理に関わる各種機能部が、マイクロプロセッサ等の演算処理装置上でプログラムを実行することにより実現されているが、各種機能部が複数の回路により実現される形態でもよい。
【０１３１】
（Ｄ）本実施形態では、記録装置の具体例としてハードディスク搭載ＤＶＤレコーダ１を例として説明したが、これ以外の記録装置において本発明の削除機能が用いられたとしても、同様の効果が得ることができる。例えば、ハードディスクレコーダ、ＤＶＤレコーダ、ＤＶレコーダ、パソコン、デジタルビデオカメラ、或いは携帯電話等において用いられる形態でもよい。
【０１３２】
（Ｅ）本実施形態では、制御部１１及びハードディスク１３がハードディスク搭載ＤＶＤレコーダ１の内部に備わっている構成を例として説明したが、制御部１１及びハードディスク１３に含まれる各機能部の一部或いは全部がネットワークを介して接続された外部装置により実現される形態であってもよい。例えば、管理情報記録領域１３ｂに記録されている予約録画情報が、ネットワーク上に存在する共有記録媒体（ネットワークドライブ等）に記録されており、複数のハードディスク搭載ＤＶＤレコーダ１から共有記録媒体に記録された録画予約情報の参照或いは編集を行える形態であってもよい。
【図面の簡単な説明】
【０１３３】
【図１】は、本発明の一実施形態に係る記録装置が備える機能部の構成を示す機能ブロック図である。
【図２】は、本発明の一実施形態に係る記録装置を示す構成図である。
【図３】は、本発明の第一の実施形態に係るリスト表示処理及び削除処理の処理フローを示したフロー図である。
【図４】は、本発明の第二の実施形態に係るリスト表示処理及び削除処理の処理フローを示したフロー図である。
【図５】は、本発明の第三の実施形態に係るリスト表示処理及び削除処理の処理フローを示したフロー図である。
【図６】は、本発明の第一の実施形態に係る再生済みタイトルリスト表示画面を示す画面図である。
【図７】は、本発明の第二の実施形態に係るダビング済みタイトルリスト表示画面を示す画面図である。
【図８】は、本発明の第三の実施形態に係る録画予約タイトルリスト表示画面を示す画面図である。
【図９】は、本発明の第三の実施形態に係る再生済みタイトルリスト表示画面を示す画面図である。
【図１０】は、本発明の第三の実施形態に係るダビング済みタイトルリスト表示画面を示す画面図である。
【図１１】は、本発明の録画不可タイトルリスト表示画面を示す画面図である。
【符号の説明】
【０１３４】
１      ハードディスク搭載ＤＶＤレコーダ（記録装置）
１１    制御部
１１ａ  予約受付部（予約受付手段）
１１ｂ  再生済みデータ抽出部（再生済みデータ抽出手段）
１１ｃ  ダビング済みデータ抽出部（ダビング済みデータ抽出手段）
１１ｄ  容量判定部（容量判定手段）
１１ｅ  削除受付部（削除受付手段）
１１ｆ  削除部（削除手段）
１３    ハードディスク（記録手段）
１６    データ出力部（情報出力手段）
２０    ＯＳＤ生成部（情報出力手段）
【図１】
2008182567.tif 000003
【図２】
2008182567.tif 000004
【図３】
2008182567.tif 000005
【図４】
2008182567.tif 000006
【図５】
2008182567.tif 000007
【図６】
2008182567.tif 000008
【図７】
2008182567.tif 000009
【図８】
2008182567.tif 000010
【図９】
2008182567.tif 000011
【図１０】
2008182567.tif 000012
【図１１】
2008182567.tif 000013